(57)【要約】【課題】取付施工性に優れた湯水混合栓の取付方法及び湯水混合栓を提供すること。【解決手段】互いに独立して水平方向に回動可能なシングルレバー１３と吐水管部１０とを具備し、前記シングルレバー１３の水平方向の回動に伴って前記吐水管部１０から吐水される冷水と温水との混合比が調節され、前記シングルレバー１３の上下方向の回動に伴って前記吐水管部１０から吐水される吐水流量が調節されるように構成された湯水混合栓に、前記シングルレバー１３が水平方向の回動によって正面位置に移動したときにクリック感を発生させるクリック機構を設け、前記クリック感を頼りに前記シングルレバー１３を正面位置に移動させた状態で、前記湯水混合栓の取付けを行う。【選択図】図１
2014214581.tif 000002
【特許請求の範囲】
【請求項１】
互いに独立して水平方向に回動可能なシングルレバーと吐水管部とを具備し、前記シングルレバーの水平方向の回動に伴って前記吐水管部から吐水される冷水と温水との混合比が調節され、前記シングルレバーの上下方向の回動に伴って前記吐水管部から吐水される吐水流量が調節されるように構成された湯水混合栓に、前記シングルレバーが水平方向の回動によって正面位置に移動したときにクリック感を発生させるクリック機構を設け、前記クリック感を頼りに前記シングルレバーを正面位置に移動させた状態で、前記湯水混合栓の取付けを行うことを特徴とする湯水混合栓の取付け方法。
【請求項２】
互いに独立して水平方向に回動可能なシングルレバーと吐水管部とを具備し、前記シングルレバーの水平方向の回動に伴って前記吐水管部から吐水される冷水と温水との混合比が調節され、前記シングルレバーの上下方向の回動に伴って前記吐水管部から吐水される吐水流量が調節されるように構成された湯水混合栓に、前記吐水管部が水平方向の回動によって正面位置に移動したときにクリック感を発生させるクリック機構を設け、前記クリック感を頼りに正面位置に移動させた前記吐水管部と同じ向きに前記シングルレバーを向けた状態で、前記湯水混合栓の取付けを行うことを特徴とする湯水混合栓の取付け方法。
【請求項３】
請求項１または２に記載の湯水混合栓の取付け方法に用いる湯水混合栓。
【発明の詳細な説明】
【技術分野】
【０００１】
この発明は、例えば、デッキタイプのシングルレバー式の湯水混合栓とその取付け方法に関する。
【背景技術】
【０００２】
一般に、湯水混合栓は、デッキ（水平カウンター等）に取り付けられるデッキタイプと、壁面に取り付けられる壁出しタイプとに大別することができる。そして、デッキタイプであり、水栓取付孔が一つの所謂ワンホール型で、かつ、シングルレバー式の湯水混合栓は、例えば特許文献１に記されている。
【０００３】
斯かる湯水混合栓は、外見がシンプルかつスリムであり、温度調節及び流量調節のためのシングルレバーの操作（左右及び上下方向の回動操作）が簡単であるというメリットがある。
【先行技術文献】
【特許文献】
【０００４】
【特許文献１】特開２０１２−２０２１０９号公報
【発明の概要】
【発明が解決しようとする課題】
【０００５】
しかし、上記湯水混合栓では、シングルレバーのみならず吐水管もが左右方向に回動可能となっているので、デッキに取り付ける際に、その正面位置をすぐに特定することができなかったり誤認したりする恐れがあり、取付施工性の点で改善の余地がある。
【０００６】
本発明は上述の事柄に留意してなされたもので、その目的は、取付施工性に優れた湯水混合栓の取付方法及び湯水混合栓を提供することにある。
【課題を解決するための手段】
【０００７】
上記目的を達成するために、本発明に係る湯水混合栓の取付け方法は、互いに独立して水平方向に回動可能なシングルレバーと吐水管部とを具備し、前記シングルレバーの水平方向の回動に伴って前記吐水管部から吐水される冷水と温水との混合比が調節され、前記シングルレバーの上下方向の回動に伴って前記吐水管部から吐水される吐水流量が調節されるように構成された湯水混合栓に、前記シングルレバーが水平方向の回動によって正面位置に移動したときにクリック感を発生させるクリック機構を設け、前記クリック感を頼りに前記シングルレバーを正面位置に移動させた状態で、前記湯水混合栓の取付けを行う（請求項１）。
【０００８】
本発明に係る湯水混合栓の取付け方法が、互いに独立して水平方向に回動可能なシングルレバーと吐水管部とを具備し、前記シングルレバーの水平方向の回動に伴って前記吐水管部から吐水される冷水と温水との混合比が調節され、前記シングルレバーの上下方向の回動に伴って前記吐水管部から吐水される吐水流量が調節されるように構成された湯水混合栓に、前記吐水管部が水平方向の回動によって正面位置に移動したときにクリック感を発生させるクリック機構を設け、前記クリック感を頼りに正面位置に移動させた前記吐水管部と同じ向きに前記シングルレバーを向けた状態で、前記湯水混合栓の取付けを行うものであってもよい（請求項２）。
【０００９】
一方、上記目的を達成するために、本発明に係る湯水混合栓は、請求項１または２に記載の湯水混合栓の取付け方法に用いられる（請求項３）。
【発明の効果】
【００１０】
本願発明では、取付施工性に優れた湯水混合栓の取付方法及び湯水混合栓が得られる。
【００１１】
すなわち、本願の各請求項に係る発明の湯水混合栓では、クリック機構によってシングルレバーの正面位置を容易に特定することができるので、湯水混合栓の取付施工性が大いに向上することになる。
【図面の簡単な説明】
【００１２】
【図１】本発明の一実施の形態に係る湯水混合栓の構成を概略的に示す分解斜視図である。
【図２】前記湯水混合栓の構成を概略的に示す縦断面図である。
【図３】前記湯水混合栓の水栓本体及びストッパの構成を概略的に示す斜視図である。
【図４】前記湯水混合栓の回動部材の一部及びアダプタの構成を概略的に示す斜視図である。
【図５】前記湯水混合栓の変形例の要部の構成を概略的に示す説明図である。
【発明を実施するための形態】
【００１３】
本発明の実施の形態について図面を参照しながら以下に説明する。
【００１４】
図１及び図２に示す湯水混合栓は、デッキタイプでワンホール型の湯水混合栓であり、例えばキッチン用として水平カウンターの上面に設置され、図１に示すように、この水栓の金属製の水栓本体１の下部には、湯供給管Ｈ及び水供給管Ｃが接続される。
【００１５】
湯供給管Ｈ、水供給管Ｃからの湯（温水）、水（冷水）は、水栓本体１を上下に貫く湯流路２及び水流路３をそれぞれ通過し、水栓本体１の上面側に装着される弁ユニット４内にて任意の比率で混合された後、水栓本体１に設けられた混合水流路５へと送られる。この混合水流路５の下流端５ａは水栓本体１の外周部に設けられた開口として表れるものであり（図３参照）、水栓本体１の外周部を取り囲む周回空間６を介して、水栓本体１に回動可能に外嵌される回動部材７の内部流路８に連通している（図２参照）。
【００１６】
すなわち、本実施形態の回動部材７は金属製であって、図１に示すように、筒状部９と吐水管部１０とを有し、このうちの筒状部９が、水栓本体１の外周側に流路の一部となる周回空間６を形成するように水栓本体１の外周部に外嵌され、吐水管部１０は筒状部９に連設されている。また、回動部材７の内部流路８の上流端８ａは回動部材７（筒状部９）の内周部に設けられた開口として表れ（図４参照）、下流端８ｂは吐水管部１０の先端の吐水口を構成する（図１参照）。
【００１７】
周回空間６は、水栓本体１の外周部に設けられた周回溝１ａ（図１、図３参照）と、回動部材７の筒状部９の内周部に設けられた周回溝９ａ（図１、図４参照）とによって構成され、混合水流路５の下流端５ａは周回溝１ａ内に位置して周回空間６に臨み、回動部材７の内部流路８の上流端８ａは周回溝９ａ内に位置して周回空間６に臨むように形成されている。
【００１８】
ここで、図２及び図３に示すように、水栓本体１の外周部には、周回空間６を液密に保つための二つのシール部材１１が周回空間６を上下から挟む部位に装着され、さらにこれら二つのシール部材１１を上下から挟む部位に、回動部材７を回動させるときのがたつきを抑えるためのサポート部材１２が装着される。
【００１９】
本実施形態の湯水混合栓はまた、図１及び図２に示すように、シングルレバー式の水栓であり、弁ユニット４の栓棒４ａに接続されたシングルレバー１３の上下方向の回動操作によって混合水の吐出流量が調節され、左右方向の回動操作によって湯水の混合比が調節される。このような機能を発揮させ得る弁ユニット４は種々のものが公知であり、例えば、セラミック製の固定ディスクの上側に配されたセラミック製の可動ディスクが、栓棒４ａに連動して回動及び平行移動し、これにより、二つのディスクによって形成される湯流路側及び水流路側の弁の開度がそれぞれ調整されるように構成されたものを採用することができる。
【００２０】
尚、図１及び図２において、１４はシングルレバー１３を栓棒４ａに接続するための接続部材、１５は接続部材１４の操作のためにシングルレバー１３に設けられた孔１６を覆うためのキャップである。
【００２１】
また、本実施形態の湯水混合栓では、回動部材７の内周部の開口８ａにアダプタ１８を装着し（図４参照）、水栓本体１の外周部の開口５ａにストッパ１９を装着し（図３参照）、アダプタ１８とストッパ１９とからなる回動規制具によって回動部材７の回動範囲を規制する。
【００２２】
アダプタ１８は、図４に示すように、回動部材７の開口８ａに挿入されるアダプタ基部２０と、アダプタ基部２０から回動部材７の内周部の周方向に延びるフランジ状のアダプタ側部２１とを有し、周回空間６（周回溝９ａ）に収まり、回動部材７と共に回動するように回動部材７に装着される（図４参照）。ここで、アダプタ基部２０は、二つに割れた円筒状を呈し、外周面には開口８ａの縁に係止する係止部２２が形成されている。
【００２３】
ストッパ１９は、図３に示すように、水栓本体１の開口５ａに挿入される筒状（図示例では円筒状）のストッパ基部２３と、ストッパ基部２３から水栓本体１の外周部の周方向に延びるウイング状のストッパ側部２４とを有し、周回空間６（周回溝１ａ）に収まるように水栓本体１に装着される。尚、ストッパ基部２３、ストッパ側部２４の適宜の位置には、開口５ａからの湯水が周回空間６を経て開口８ａへと向かう流れを確保するために、切欠き２３ａ，２４ａが設けられている。また、図３において、２３ｂは突起部（係止部）である。
【００２４】
そして、ストッパ１９は、アダプタ１８に当接してアダプタ１８の一方向及び他方向の回動を規制するように構成されるのであり、本実施形態では、左右のストッパ側部２４がそれぞれ左右のアダプタ側部２１に当接するようにしてある。具体的には、回動部材７の周回溝９ａに沿うアダプタ側部２１に対して、ストッパ側部２４も周回溝９ａに沿うように、ストッパ側部２４の曲率半径を水栓本体１の外径、さらには回動部材７の筒状部９の内径よりも大としてある。従って、組み上がった状態にある湯水混合栓におけるストッパ１９は、回動部材７の筒状部９の内周部に当接し、弾性変形により幾らか縮径した状態にある。これにより、周回空間６における流路の確保の観点からアダプタ側部２１、ストッパ側部２４の薄型化を図っても、両者２１，２４は共に周回溝９ａに沿うので、その当接を確実に行わせることができる。
【００２５】
そして、アダプタ１８、ストッパ１９の装着は、水栓本体１に回動部材７を外嵌する前にそれぞれ行うのであり、アダプタ１８が装着された回動部材７をストッパ１９が装着された水栓本体１に外嵌する際、アダプタ１８は全体として回動部材７の周回溝９ａに沿うので水栓本体１との間で干渉は生じないが、ストッパ１９は水栓本体１の周回溝１ａの側方にはみ出た状態となるので回動部材７との間で干渉が生じる。そこで、本実施形態では、ストッパ１９の各ストッパ側部２４の外周部の上下に変形ガイド面２５（図３参照）を設け、回動部材７を水栓本体１に外嵌する際及び水栓本体１から抜き外す際には、ストッパ側部２４が回動部材７に付勢されて弾性変形により縮径し、周回溝１ａ内に収まるように構成してある。
【００２６】
また、ストッパ側部２４は、上述のように回動部材７を水栓本体１に外嵌する過程で一旦縮径するが、回動部材７がストッパ側部２４の外側を通過した後は（外嵌が完了した時点では）、その弾性復元力により、周回溝１ａの側方にはみ出して周回溝１ａに対向する周回溝９ａに沿う（当接する）状態となる。そのため、開口５ａから周回空間６内に至り開口８ａへと向かう湯水は、ストッパ１９の内周側及び外周側を流れるが、主に内周側を流れることになる。
【００２７】
上記のように、回動部材７及び水栓本体１に回動規制具（アダプタ１８、ストッパ１９）を装着すれば、アダプタ１８のアダプタ側部２１とストッパ１９のストッパ側部２４との当接作用により、アダプタ１８が装着された回動部材７の回動を規制することができる。本実施形態では、アダプタ１８、ストッパ１９が共に左右対称に形成され、回動部材７は正面（水栓本体１において開口５ａの真裏に相当する位置）から左右にそれぞれ６０度の範囲でのみ回動可能となる。
【００２８】
そして、本実施形態の湯水混合栓は、図１に示すように、弁ユニット４に装着されるラチェットリング２６と、このラチェットリング２６が装着された状態の弁ユニット４に係止して弁ユニット４からのラチェットリング２６の脱落を防止する係止部材（止め輪）２７とを具備し、弁ユニット４の上部とラチェットリング２６とによって構成されるクリック機構により、シングルレバー１３が水平方向に回動して正面位置に移動したときにクリック感を発生させるようにしている。
【００２９】
すなわち、弁ユニット４の上部の円筒部１７の外周には、１８０度位相を変えて二つの縦溝１７ａが設けられている。一方、ラチェットリング２６は、円筒部１７に外嵌される略円筒状を呈する部材であり、その周壁には、１８０度位相を変えて二つの板ばね部２６ａが設けられ、各板ばね部２６ａの内側には、縦溝１７ａに係合可能な突起２６ｂが設けられている。また、ラチェットリング２６の上端の内縁には、１８０度位相を変えて二つの係合部２６ｃが設けられ、これら二つの係合部２６ｃが弁ユニット４の栓棒４ａに係合し、栓棒４ａの上下方向の軸回りの回動に伴ってラチェットリング２６も回動するように構成されている。尚、円筒部１７は水栓本体１に固定されているので、栓棒４ａやラチェットリング２６の回動時にも動くことはない。また、弁ユニット４において円筒部１７よりも上方の位置には、係止部材２７が係止する係止溝４ｂが設けられている。
【００３０】
従って、シングルレバー１３を水平方向（左右方向）に回動させ、シングルレバー１３が正面位置に移動すると、ラチェットリング２６の突起２６ｂが円筒部１７の縦溝１７ａに係合し、クリック感を発生させることになる。
【００３１】
そして、本実施形態の湯水混合栓の取付方法では、上記クリック感を頼りにシングルレバー１３を正面位置に移動させた状態で、湯水混合栓の取付けを行う。この取付け自体は、ワンホール混合栓の取付け方法として種々用いられている方法（例えばカウンター上面から取付金具を取り付け、次に湯水混合栓をその上に取り付ける上面施工式、馬蹄形の座をカウンターの下面側に配置し、これをカウンターの上側に配置した湯水混合栓にボルトで締め付けるボルト式、湯水混合栓の下部にボルトを連設し、このボルトにカウンターの下側からナットを締め付けるナット式など）を採用可能であり、その詳細についての説明は省略する。
【００３２】
本実施形態の湯水混合栓の取付方法及び湯水混合栓では、クリック機構によってシングルレバー１３の正面位置を容易に特定することができるので、湯水混合栓の取付施工性が大いに向上することになる。
【００３３】
なお、本発明は、上記の実施の形態に何ら限定されず、本発明の要旨を逸脱しない範囲において種々に変形して実施し得ることは勿論である。例えば、以下のような変形例を挙げることができる。
【００３４】
上記実施の形態では、円筒部１７に縦溝１７ａを二つのみ設け、シングルレバー１３が水平方向の回動によって正面位置に移動したときにのみクリック感を発生させるようにしているが、例えば湯のみを吐出する位置、水のみを吐出する位置にシングルレバー１３が移動したときにもクリック感を発生させるように、円筒部１７に設ける縦溝１７ａの数を増やしてもよい。
【００３５】
上記実施の形態では、円筒部１７の縦溝１７ａとラチェットリング２６の突起２６ｂとによって構成されるクリック機構を採用しているが、他の構成を有するクリック機構を採用してもよい。
【００３６】
また、上記実施の形態では、シングルレバー１３が水平方向の回動によって正面位置に移動したときにクリック感を発生させるクリック機構を採用しているが、このクリック機構の代わりに、吐水管部１０が水平方向の回動によって正面位置に移動したときにクリック感を発生させるクリック機構を設けるようにしてもよい。そのようなクリック機構としては、例えば、図５に示すように、回動部材７の周回溝９ａ内に設けられた縦溝２８と、ストッパ１９の一方のストッパ側部２４の外周部に設けられた突起２９とを具備し、吐水管部１０が水平方向の回動によって正面位置に移動したときに縦溝２８に突起２９が係合してクリック感を発生させるように構成されたクリック機構が挙げられる。もちろん、突起２９をストッパ１９の他方のストッパ側部２４の外周部にも設け、それに対応させて、回動部材７の周回溝９ａに縦溝２８を二つ設けるようにしてもよい。
【００３７】
そして、この場合、湯水混合栓の取付けは、上記クリック機構のクリック感を頼りに正面位置に移動させた吐水管部１０と同じ向きにシングルレバー１３を向けた状態で行えばよい。
【００３８】
また、本発明の湯水混合栓が、シングルレバー１３あるいは吐水管部１０が正面位置に移動したことを認識するための手段として、聴覚的及び触覚的に伝達されるクリック感を発生させるクリック機構に加えて、あるいはクリック機構に替えて、視覚的に伝達される手段を用いるものであってもよい。例えば、シングルレバー１３の正面下部に開口が設けられ、シングルレバー１３が正面位置にあるときには正面位置にあることを知らせる表示（中央から左側が赤く右側が青い表示など）がその開口内に表れるようにしてあってもよい。
【００３９】
上記実施の形態では、互いに対向する周回溝１ａ，９ａによって周回空間６を形成しているが、何れか一方の周回溝のみが設けられて周回空間６を形成するように構成されていてもよいし、周回溝１ａ，９ａが共に設けられず、水栓本体１の外周部と回動部材７の内周部との間にある程度の隙間が形成され、その隙間の上下を二つのシール部材１１により区画するのみによって周回空間６が構成されていてもよい。
【００４０】
シール部材１１、補助部材１２は、水栓本体１の外周部ではなく回動部材７の内周部に装着されていてもよい。
【００４１】
水栓本体１の周回溝１ａに、ストッパ１９の上下の突起部２３ｂが嵌合係止する切欠きを追加工し、周回溝１ａに対するストッパ１９の装着状態がより良好に保持されるようにしてもよい。
【００４２】
アダプタ１８、ストッパ１９の何れか一方または両方を左右非対称とし、回動範囲が正面（あるいは開口５ａ）に対して左右非対称となるようにしてもよい。また、上記実施の形態では、ストッパ側部２４をアダプタ側部２１より長くしてあるが、アダプタ側部２１をストッパ側部２４より長くしても両者２１，２４を同等の長さとしてもよい。
【００４３】
回動部材７の回動範囲は、アダプタ側部２１の長さとストッパ側部２４の長さとによって定まるため、これら２１，２４の長さを変えて容易に変更することができる。そして、これら２１，２４の長さを変える手段としては、例えば、アダプタ側部２１の長さが異なる複数のアダプタ１８、あるいは、ストッパ側部２４の長さが異なる複数のストッパ１９を用意し、任意のものを選択して用いる方法や、各アダプタ側部２１あるいは各ストッパ側部２４に一つ以上の弱化線を設け、何れかの弱化線を破断させて各アダプタ側部２１あるいは各ストッパ側部２４の長さを変更する方法が挙げられる。
【００４４】
上記実施の形態では、アダプタ側部２１を周回溝９ａに沿わせ、ストッパ側部２４も周回溝９ａに沿わせるためにストッパ側部２４の曲率半径を大として、水栓本体１に回動部材７が外嵌される際に、ストッパ側部２４が回動部材７に付勢されて弾性変形により縮径するようにしてある。しかし、これに限らず、例えば、ストッパ側部２４を周回溝１ａに沿わせ、アダプタ側部２１も周回溝１ａに沿わせるためにアダプタ側部２１の曲率半径を小として、水栓本体１に回動部材７が外嵌される際に、アダプタ側部２１が回動部材７に付勢されて弾性変形により拡径するようにしてもよい。この場合は、変形ガイド面２５に相当する面をアダプタ側部２１の内周部に設ければよい。また、この場合、図５に示す例のクリック機構を構成する縦溝２８及び突起２９のうち、突起２９をアダプタ側部２１の内周部に設け、縦溝２８を水栓本体１の周回溝１ａに設けるようにすることもできる。
【００４５】
なお、上記変形例どうしを適宜組み合わせてもよいことはいうまでもない。
【符号の説明】
【００４６】
１    水栓本体
１ａ  周回溝
２    湯流路
３    水流路
４    弁ユニット
４ａ  栓棒
４ｂ  係止溝
５    混合水流路（内部流路）
５ａ  下流端（開口）
６    周回空間
７    回動部材
８    内部流路
８ａ  上流端（開口）
８ｂ  下流端
９    筒状部
９ａ  周回溝
１０    吐水管部
１１    シール部材
１２    サポート部材
１３    シングルレバー
１４    接続部材
１５    キャップ
１６    孔
１７    円筒部
１７ａ  縦溝
１８    アダプタ
１９    ストッパ
２０    アダプタ基部
２１    アダプタ側部
２２    係止部
２３    ストッパ基部
２３ａ  切欠き
２３ｂ  突起部
２４    ストッパ側部
２４ａ  切欠き
２５    変形ガイド面
２６    ラチェットリング
２６ａ  板ばね部
２６ｂ  突起
２６ｃ  係合部
２７    係止部材
２８    縦溝
２９    突起
Ｃ    水供給管
Ｈ    湯供給管
【図１】
2014214581.tif 000003
【図２】
2014214581.tif 000004
【図３】
2014214581.tif 000005
【図４】
2014214581.tif 000006
【図５】
2014214581.tif 000007